(57)【要約】      （修正有）【課題】楽な歩行動作を獲得できる歩行用具を提供する。【解決手段】山登り携帯歩行具「だぼのあし」は靴の靴底に足半（あしなか）草鞋様に形成した衝撃吸収靴底素材部「（イ）ゴム、タイヤ活用。乾燥した地面で使用する」または足半草鞋様滑り止め靴底素材部「（ロ）アイゼン活用、（ハ）クサリ活用。凍結または濡れて滑る地面で使用する」を足半草鞋様衝撃吸収及び滑り止め靴底素材部（イ）（ロ）（ハ）の足の甲の部分あたりからロープを取り付け長さを調整できるようにして大腿上部あたりまで伸ばし、腰杖の腰骨あたりでループ（以下、腰杖ループという）を作り手の指を掛けて靴底素材部（イ）（ロ）（ハ）を支点にしてロープを引っ張れば、あたかも杖をついたように身体を持ちあげることができ腰杖ループと腰紐をゴム紐で結び手を離した時は腰杖ループ及びロープが垂れない様にした。腰杖をサポートする形になり楽に山登りなど坂道を登ることができる。【選択図】図１
2018187319.tif 000002
【特許請求の範囲】
【請求項１】
本発明は日本伝承歩行法の腰杖所作を応用した日本伝承歩行法腰杖応用楽々山登り携帯歩行具「だぼのあし」である。
靴の靴底に足半（あしなか）草鞋様に形成した衝撃吸収靴底素材部（イ）「ゴム、タイヤ、植物繊維、じゅうたんなど。乾燥した地面で使用する」または足半草鞋様滑り止め靴底素材部「（ロ）アイゼン活用、（ハ）クサリ活用、爪金具、金網など。凍結または濡れて滑る地面で使用する」を足半草鞋様衝撃吸収及び滑り止め靴底素材部（イ）または（ロ）（ハ）の足の甲の部分あたりからロープを取り付け大腿上部あたりまで伸ばし、腰杖「身体の下肢部分を杖代わりして歩く日本の伝承歩行の基本所作」の腰骨あたりでループ（以下、腰杖ループという）を作り手の指を掛けて靴底素材部（イ）または（ロ）（ハ）を支点にしてロープを引っ張れば、あたかも杖をついたように身体を持ちあげることができ腰杖をサポートする形で楽に山登りなど坂道を登ることができる。
腰杖ループにゴム紐など自在に伸ばし縮みができるロープを着けて片方のロープの端を身体のヘソ部分に巻き付けた腰紐に縛って固定して腰杖ループから手を離した場合に腰杖ループ及びロープが身体から落ちて歩行の邪魔にならないようにする。
足半草鞋様衝撃吸収及び滑り止め靴底素材部（イ）または（ロ）（ハ）を使用環境に合わせて使用すれば安全に楽々に山登りなどができるようになる。
この発明はロープを主体素材とするので丸めて袋などに入れて持ち運びができるので携帯に便利でこれらの歩行具を必要とする環境で適時取り出して使用することができるのですこぶる使い勝手が良い。
日本伝承歩行法腰杖応用楽々山登り携帯歩行具「だぼのあし」は西洋靴に装着する足半（あしなか）草鞋様衝撃吸収靴底素材部（イ）「ゴム、タイヤ、植物繊維、じゅうたんなど。乾燥した地面で使用する」及び足半草鞋様滑り止め靴底素材部「（ロ）アイゼン活用、（ハ）クサリ活用、爪金具、金網など。凍結または濡れて滑る地面で使用する」などを主体とする足半（あしなか）草鞋様靴底素材部とそれを操作する腰杖ループをつなぐロープは長さに余裕をもち身長に合わせて自在に調整できるようにする。足半草鞋様衝撃吸収靴底素材部（イ）及び滑り止め靴底素材部（ロ）または（ハ）には靴底素材部を足半草鞋様に靴本体及び足首に巻き付けて固定できるようテープバンドを取り付け端にマジックテープを着けて固定できるようにする。
身体のヘソの高さに巻く腰紐はウエストに合わせて調整できるようにし簡単に取り外しができるようにする。
【発明の詳細な説明】
【技術分野】
【０００１】  本発明の日本伝承歩行法腰杖応用楽々山登り携帯歩行具「だぼのあし」を運動靴、ウォーキングシューズ、革靴など西洋靴に装着することにより日本伝承歩行法で山登りが安全に楽に簡単に歩けるようになる。
靴の靴底に足半（あしなか）草鞋様に形成した衝撃吸収靴底素材部「（イ）ゴム、タイヤ活用、植物繊維、じゅうたんなど。乾燥した地面で使用する」または足半草鞋様滑り止め靴底素材部「（ロ）アイゼン活用、（ハ）クサリ活用、爪金具、金網など。凍結または濡れて滑る地面で使用する」を足半草鞋様衝撃吸収靴底素材部（イ）及び滑り止め靴底素材部（ロ）アイゼン活用または（ハ）くさり活用の足の甲の部分あたりからロープを取り付け大腿上部あたりまで伸ばし、腰杖「身体の下肢部分を杖代わりして歩く日本の伝承歩行の基本所作」の腰骨あたりでループ（以下、腰杖ループという）を作り手の指を掛けて靴底素材部（イ）または（ロ）（ハ）を支点にしてロープを引っ張れば、あたかも杖をついたように身体を持ちあげることができ腰杖をサポートする形で楽に山登りなど坂道を登ることができる。
腰杖ループを引っ張ることにより靴先を持ち上げることになり上げた足を前に進め靴を下ろすと同時に持ち上げた肩を前に出すことになり、即ち体重移動がスムーズにできる。このことは前に出した足と上肢の肩が同時に前に出ることになり日本伝承歩行の基本所作動作を確実に助けることになり楽な歩行動作を獲得できる。
腰杖ループにゴム紐など自在に伸ばし縮みができるロープを着けて片方のロープの端を身体のヘソ部分に巻き付けた腰紐に縛って固定して腰杖ループから手を離した場合に腰杖ループ及びロープが身体から落ちて歩行の邪魔にならないようにする。腰杖ループの処理に神経を使わず自在に腰杖動作に移れることで歩行動作が楽にスムーズに行える。
これにより日本伝承歩行法足半草鞋様衝撃吸収及び滑り止め靴底素材部（イ）または（ロ）（ハ）を使用環境に合わせて使用すれば安全に楽々に山登りなどができるようになる。
日本伝承歩行法により常に足の母指球から静かに着地させる緊張感ある歩行が確保できる、よって膝関節や足首の保護に役立ち安全かつ身体に優しく健康づくりに役立つ健康靴にできる。
【背景技術】
【０００２】  一般の西洋靴での西洋式歩行法は踵から着地させて歩く歩き方で、踵や足首、膝関節への負担が大きく膝痛など膝関節傷害の根本原因になっている。
日本古来より山岳修験者やマタギなど草鞋や地下足袋を履いて山地で活動する人々に受け継がれている日本古来の伝承歩行法は足への負担を極力少なくする歩き方であり、日本伝承歩行法を積極的に活用応用してかつ体重移動などの所作をトレーニングする用具としてまたスムーズに体得し、かつ楽々に山登りできるための歩行用具として発明したものである。
【発明の概要】
【発明が解決しようとする課題】
【０００３】  西洋式歩行は踵から着地させて歩き踵や足首、膝関節への負担が大きい歩行法で西洋靴によるものでありこの西洋靴に日本伝承歩行法腰杖応用楽々山登り携帯歩行具「だぼのあし」を装着することで直ちに日本古来の伝承歩行法で歩けるようになる。腰杖ループを持ち上げることで靴が上がり歩みを前に進めて靴を下ろして、その靴を支点にしたロープを引っ張ることにより、あたかも杖をついて身体を持ち上げる感覚で前足に体重を移動させることができる。この動作を左右交互に行うことで、ダブルポールでポールサポートを承けながら歩行できることになり、腰杖ループ及びロープによって常に足の母指球から静かに着地させる緊張感ある歩行が確保できる、よって膝関節や足首の保護に役立ち安全かつ身体に優しく楽に山登り歩行ができる。
【課題を解決するための手段】
【０００４】  日本伝承歩行法腰杖応用楽々山登り携帯歩行具「だぼのあし」は靴の靴底に足半（あしなか）草鞋様に形成した衝撃吸収靴底素材部「（イ）タイヤ活用またゴム活用、植物繊維、じゅうたんなど。乾燥した地面で使用する」または足半草鞋様滑り止め靴底素材部「（ロ）アイゼン活用、（ハ）クサリ活用、爪金具、金網など。凍結または濡れて滑る地面で使用する」を足半草鞋様衝撃吸収及び滑り止め靴底素材部（イ）または（ロ）（ハ）の足の甲の部分あたりからロープを取り付け大腿上部あたりまで伸ばし、腰杖「身体の下肢部分を杖代わりして歩く日本の伝承歩行の基本所作」の腰骨あたりでループ（以下、腰杖ループという）を作り手の指を掛けて靴底素材部（イ）または（ロ）（ハ）を支点にしてロープを引っ張れば、あたかも杖をついたように身体を持ちあげることができ腰杖をサポートする形で楽に山登りなど坂道を登ることができる。
腰杖ループを引っ張ることにより靴先を持ち上げることになり上げた足を前に進め靴を下ろすと同時に持ち上げた肩を前に出すことになり、このことは前に出した足と上肢の肩が同時に前に出ることになり日本伝承歩行の基本所作動作を確実に助けることになり楽な歩行動作を獲得できる。
【発明の効果】
【０００５】  日本伝承歩行法腰杖応用楽々山登り携帯歩行具「だぼのあし」はどんな西洋靴「運動靴、ウォーキングシューズ、革靴など」でも簡単に装着でき、直ちに日本古来の伝承歩行法を習得でき膝関節傷害予防に役立ち安全安心の身体に優しい楽な山登り歩きができ健康づくりに役立つ安全安心の山登りができるようになる。
【図面の簡単な説明】
【０００６】
【図１】日本伝承歩行法腰杖応用楽々山登り携帯歩行具「だぼのあし」実施例を示す図面である。
【図２】日本伝承歩行法腰杖応用楽々山登り携帯歩行具「だぼのあし」衝撃吸収靴底素材部（イ）ゴム板、タイヤ活用の実施例を示す図面である。
【図３】日本伝承歩行法腰杖応用楽々山登り携帯歩行具「だぼのあし」滑り止め靴底素材部（ロ）アイゼン活用、（ハ）くさり活用の図面である。
【発明を実施するための形態】
【０００７】  日本伝承歩行法腰杖応用楽々山登り携帯歩行具「だぼのあし」は靴の靴底に足半（あしなか）草鞋様に形成した衝撃吸収靴底素材部「（イ）ゴム、タイヤ活用、植物繊維、じゅうたんなど。乾燥した地面で使用する」または足半草鞋様滑り止め靴底素材部「（ロ）アイゼン活用、（ハ）クサリ活用、爪金具、金網など。凍結または濡れて滑る地面で使用する」を足半草鞋様衝撃吸収及び滑り止め靴底素材部（イ）または（ロ）（ハ）の足の甲の部分あたりからロープを取り付け大腿上部あたりまで伸ばし、腰杖「身体の下肢部分を杖代わりして歩く日本の伝承歩行の基本所作」の腰骨あたりでループ（以下、腰杖ループという）を作り手の指を掛けて靴底素材部（イ）または（ロ）（ハ）を支点にしてロープを引っ張れば、あたかも杖をついたように身体を持ちあげることができ腰杖をサポートする形で楽に山登りなど坂道を登ることができる。
腰杖ループを引っ張ることにより靴先を持ち上げることになり上げた足を前に進め靴を下ろすと同時に持ち上げた肩を前に出すことになり、このことは前に出した足と上肢の肩が同時に前に出ることになり日本伝承歩行の基本所作動作を確実に助けることになり楽な歩行動作を獲得できる。
【産業上の利用可能性】
【０００８】  日本伝承歩行法腰杖応用楽々山登り携帯歩行具「だぼのあし」は西洋靴に簡単に装着可能であり、安全安心歩行の健康づくり歩行運動および体力づくり歩行運動の奨励に寄与できるものでありこの普及は今日の高齢化社会の健康長寿問題の解決の一助となるものと考えている。
ザック、カバンに密かに携帯できる大きさであり何時でも何処でも野山歩きが楽しめる健康体力増進用具として推薦できるものである。
【図１】
2018187319.tif 000003
【図２】
2018187319.tif 000004
【図３】
2018187319.tif 000005